(57)【特許請求の範囲】
【請求項１】
洗濯機に隣接させて配置され、洗濯機の給水設備及び排水設備を内部に設置してなるキャビネットであって、排水設備を防水パンと防水パンに組み込まれる排水トラップとで構成し、前記キャビネットの洗濯機側に開口部を形成し、洗濯機の給水ホース及び排水ホースを前記開口部からキャビネット内に引き込み、給水ホースを前記防水パンの真上で前記給水設備に接続し、排水ホースを前記排水設備に接続し、防水パンの底面に排水トラップに抜ける排水穴を開設したことを特徴とする洗濯機の給排水設備を備えたキャビネット。
【請求項２】
給水ホースを給水設備に着脱可能に接続し、排水ホースを排水設備に着脱可能に接続したことを特徴とする請求項１に記載の洗濯機の給排水設備を備えたキャビネット。
【発明の詳細な説明】
【０００１】
【発明の属する技術分野】
本発明は、洗濯機の給水ホースと排水ホースの接続端部を具備するキャビネットに関する。
【０００２】
【従来の技術】
従来、洗濯機ａは洗面化粧台ｂの隣に配置されることが多かった。
その場合、洗濯機ａは、洗濯機ａより多少広い面積の洗濯機パンｃの上に置かれ、洗濯機ａより上方の壁面に設けられた水栓金具ｄの先端に給水ホースｅを接続すると共に、洗濯機パンｃに設けられた排水トラップに排水ホースｆが接続されていた。
しかし、その場合には、給水ホースｅや排水ホースｆが露出してしまうので見苦しく、室内のトータルコーディネイトがされていないという問題があった。
そこで、実開平４−４６８４４号に示されるように、洗濯機を水栓金具、洗濯機パンと共にキャビネット内に収める提案がされている。
【０００３】
【発明が解決しようとする課題】
しかしその場合には、キャビネットの扉を開かないと洗濯機が使用できないため、洗濯する時に開いた扉が邪魔になることがあった。また、洗濯するときには依然として給水ホースや排水ホースが露出するという問題が残っていた。
【０００４】
【課題を解決するための手段】
上記の点に鑑み、本発明は、洗濯機に隣接させて配置され、洗濯機の給水設備及び排水設備を内部に設置してなるキャビネットであって、排水設備を防水パンと防水パンに組み込まれる排水トラップとで構成し、前記キャビネットの洗濯機側に開口部を形成し、洗濯機の給水ホース及び排水ホースを前記開口部からキャビネット内に引き込み、給水ホースを前記防水パンの真上で前記給水設備に接続し、排水ホースを前記排水設備に接続し、防水パンの底面に排水トラップに抜ける排水穴を開設したことを特徴とする。
洗濯機の給水ホースと排水ホースは、洗濯機と隣接する収納部に収められるので、外に露出しない。
【０００５】
排水設備を、防水パンと、防水パンに組み込まれる排水トラップとで構成し、給水ホースを前記防水パンの真上で前記給水設備に接続したので、万一の場合の接続部からの水漏れを防水パンの排水穴から排水することができる。
【０００６】
さらに、キャビネットの後方壁面又は設置床面から突き出る給水管の先端に取付けられた止水栓と、止水栓の２次側に設けられた給水配管用アダプタとで給水設備を構成し、給水ホースの先端を給水配管用アダプタにワンタッチで着脱可能としてもいい。
【０００７】
さらにまた、キャビネットの、給水設備と給水ホースの接続部の真正面側を扉で隠蔽し、扉より上方を物品の収納空間とすることができ、その収納空間にキャビネットから抜き差し自在な引き出しを設けることができる。
【０００８】
また、キャビネットに水槽を設け、水槽からの排水管を上記排水トラップに接続してもいい。
【０００９】
キャビネットが、洗濯機が収納される洗濯機収納空間と、前面に扉を有し、給水設備及び排水設備を設置した給排水設備収納空間とを備えても良い。
【００１０】
その好ましい態様として、キャビネットの給水設備と給水ホースの接続部の真正面側を扉で隠蔽し、扉より上方を物品の収納空間とすることができ、さらに、その収納空間に、キャビネットから抜き差し自在な引き出しを設けることもできる。
【００１１】
【発明の実施の形態】
本発明の第１実施例を図に基づいて説明する。
図１に示すように、洗面室に洗濯機Ａと洗面化粧台Ｂが隣接配置される。洗濯機Ａの横幅寸法は約６５０ｍｍ、洗面化粧台Ｂの横幅寸法は約１０００ｍｍであり、両者を並べて設置すると、一坪サイズ（１６５０ｍｍ×１６５０ｍｍ）の洗面室の壁から壁までを隙間なく覆うことができる。
【００１２】
洗濯機Ａはいわゆるドラム式洗濯機であり、その前面に洗濯槽を開閉するドア１を有し、後部に給水ホース２と排水ホース３の基端を接続している。
洗濯する時は前面のドア１を開いて洗濯物の出し入れを行なうので、洗濯機Ａの上部空間が自由に利用できる。
また、洗濯機Ａの上面は、隣接する洗面化粧台Ｂのカウンター１３に連結されるサブカウンター４で覆われ、サブカウンター４上でアイロン掛けや洗濯物の折り畳み等の家事作業が可能である。
なお、サブカウンターの上方は空きスペースとなるので、そこにウォールキャビネットを設置して、収納スペースとして利用することもできる。
【００１３】
洗面化粧台Ｂは、水槽５を有する洗面キャビネット６と、洗面キャビネット６の上部に設けられシャワータイプの水栓金具７ａを有する水栓取付けユニット７と、その上部に設置される化粧鏡８とからなる。
【００１４】
洗面キャビネット６は、開き扉９ａを有する第１収納部９と、引き出し１０を有する第２収納部１１とを設けたフロアキャビネット１２と、その上部に取付けられるカウンター１３とで構成されている。
カウンター１３の奥行きは、洗濯機Ａ上部のサブカウンター４の奥行きと同寸法に形成され、洗濯機Ａと洗面化粧台Ｂの前面が面一になるように構成される。また、カウンター１３の右側寄りには開口が設けられ、その下に水槽５が取付けられている。
【００１５】
フロアキャビネット１２は、奥行き寸法の異なる側板１２ａ，１２ｂと、背板１２ｃと、底板１２ｄと、中仕切板１２ｅとからなり、中仕切板１２ｅの右側を第１収納部９とし、中仕切板１２ｅの左側を第２収納部１１としている。
第１収納部９には、上端が水槽５に接続された排水管５ａが収められるほか、バケツ，掃除用具，洗剤等の比較的大きな収納物が収納可能である。第２収納部１１は、上部２／３に抜き差し可能な２段の引き出し１０が組み込まれて比較的小さな収納物が収納可能であり、下段の引き出し１０よりも下方の空間は洗濯機Ａの給排水設備が内蔵される給排水設備収納空間Ｃとなっている。
【００１６】
以下、給排水設備収納空間Ｃについて説明する。
給排水設備収納空間Ｃは、左右をフロアキャビネット１２の側板１２ａと中仕切板１２ｅで、後ろを背板１２ｃで、上を引き出し１０の底板で囲まれてなり、その前面を引き出し１０の前板と同一形状の開き扉１４で覆っている。また、給排水設備収納空間Ｃの底部前方の底板１２ｄと背板１２ｃの間に、防水パン１５と排水トラップ１６とで構成される排水設備１７を設けている。さらに、側板１２ａの防水パン１５より上位置には、洗濯機Ａの給水ホース２、排水ホース３、電気コード１８を挿通可能な開口部１９が形成されている。
【００１７】
防水パン１５は合成樹脂で成形され、周囲に立ち上がり壁１５ａを形成した水溜め部１５ｂを有する容器状であり、その底部に丸穴１５ｃが開設されている。防水パン１５の立ち上がり壁１５ａの上端にはフランジ１５ｄが形成され、左右のフランジ１５ｄには凹部１５ｅが形成されている。防水パン１５はフロアキャビネット６の側板１２ａに固定された取付け金具２０がその凹部１５ｅに嵌合することで固定されている。
また、防水パン１５の下方の床面には排水トラップ１６が埋め込まれ、排水トラップ１６の上部が防水パン１５の丸穴１５ｃに接続されている。そして、洗濯機Ａの排水ホース３の先端が排水トラップ１６から上部に伸びる連結管１６４に接続される。
【００１８】
排水トラップ１６は、排水口１６１ａを有すると共に上端に外フランジ１６１ｂが形成され、上部内周に雌ネジが形成された外筒１６１と、内周に雌ネジをきざみ、防水パン１５の丸穴１５ｃの端部を挟むように外筒１６１の雌ネジに螺合される締付フランジ１６２と、外筒の内側に落とし込まれる封水構成部材１６３と、締付フランジ１６２の雌ネジに螺合され、排水ホース３の連結管１６４を具備し、防水パン１５の底部と封水部とを連通する排水穴１６５ａを有する目皿１６５とからなる。
洗濯機Ａからの排水は、排水ホース３から連結管１６４を介して封水構成部材１６３に達し、外筒１６１の排水口１６１ａから排水される。また、防水パン１５の水溜め部１５ｂの水は、排水穴１６５ａから封水構成部材１６３に達し、外筒１６１の排水口１６１ａから排水される。
【００１９】
防水パン１５の水溜め部１５ｂの真上には洗濯機Ａの給水ホース２と給水設備２１との接続部２２を配置している。
給水設備２１は、後方壁面から突出する給水管２３の先端に接続された止水栓２４と、止水栓２４の下流側に螺合接続される逆流防止弁２５と、その先端に螺合接続される給水配管用アダプタ２６とからなる。
給水配管用アダプタ２６は、その下流側端部に洗濯機Ａの給水ホース２の先端がワンタッチで着脱できる嵌合構造を有している。
【００２０】
なお、引き出し１０の後方にはあらかじめ建築躯体に準備されるコンセント２７を設けているので、洗濯機Ａの電気コード１８は側板１２ａの開口部１９からフロアキャビネット１２内に引き込み、背板１２ｃの開口部２７ａを通してコンセント２７に差し込めばよい。そのため、洗濯機Ａの電気コード１８までもキャビネットの中に収めることができる。
【００２１】
以下に、給排水設備収納空間Ｃでの洗濯機Ａの給水ホース２、排水ホース３の接続手順を説明する。
【００２２】
まず、給排水設備収納空間Ｃの前面開き扉１４を開け、給水ホース２、排水ホース３を開口部１９から給排水設備収納空間Ｃ内に引き込んでおく。そして、給水ホース２の先端を給水設備２１の給水配管用アダプタ２６に差し込んで接続する。そして、排水ホース３の先端を排水トラップ１６の上部に現われる連結管１６４に挿入し、結束バンド１６４ａで締め付け固定して、接続する。
なお、第２収納部１１の引き出し１０を抜いて給排水設備収納空間Ｃの上部を開いた空間とすると、これらの作業が一層楽にできる。
【００２３】
洗濯する時には、開き扉１４を開けて止水栓２４を開きさえすれば、後は洗濯機Ａでの操作により洗濯が自動的に行なえる。なお、止水栓２４を常時開放したままにしておくこともできる。
【００２４】
以上のように本実施例においては、洗濯機Ａの給水ホース２、排水ホース３の接続端である給排水設備１７、２１を洗面キャビネット６内に収めたので、洗濯機Ａの給水ホース２、排水ホース３が外部に露出することなく、すっきりした外観となる。
【００２５】
また、給水ホース２と給水設備２１の接続部２２を防水パン１５の真上にしたので、止水栓２４を閉める前に給水ホース２の接続を解除されたり、給水ホース２の接続に不良があるなどの理由で万一水漏れが生じても、防水パン１５がその水を受けて排水孔１６５ａから排水トラップ１６に排水するため、キャビネット底面や床面に水が漏れることがない。
【００２６】
さらに、給排水設備収納空間Ｃの前方寄りの底板１２ｄの上部は空きスペースとなっているので、そこに小物を収納しておくこともできる。
【００２７】
なお、本実施例では第２収納部１１に抜き差し可能な引き出し１０を設けているが、それに代えて、開き扉式の収納部や前面を開放したオープン棚としてもいい。その場合にも収納部の底板を脱着式とすれば、給水ホース２、排水ホース３の接続作業を楽に行なうことができる。
また、給排水設備１７、２１を避ける形状の収納ワゴンを第２収納部１１に出し入れ自在に備えることもできる。その場合には、ワゴンを引き出して容易に給水ホース２、排水ホース３の接続作業ができる。
【００２８】
さらに、給水管２３が床から立ち上がる場合には、防水パン１５の立ち上がり壁１５ａの上端に形成されたフランジ１５ｄに貫通孔を開けて、そこから給水管２３を立ち上げることができる。
【００２９】
次に、図７に基づいて第２実施例を説明する。なお、前述の実施例と同じ構成については、図に同じ符号を記し、その説明を省く。
本実施例においては、洗濯機Ａの排水ホース３と洗面化粧台Ｂの排水管５ａを同じ排水トラップ１６に接続していることを特徴とする。
洗面化粧台Ｂの水槽５の下部に接続された排水管５ａは、フロアキャビネット１２の中仕切板１２ｅ側に略水平に取り回され、中仕切板１２ｅに沿って下に延び、中仕切板１２ｅを貫通して給排水設備収納空間Ｃに達し、先端が洗濯機Ａの排水ホース３が接続される排水トラップ１６に接続されている。
【００３０】
本実施例においては、洗面化粧台Ｂのトラップとして床面に埋め込まれた洗濯機用の排水トラップ１６を利用するので、洗面化粧台Ｂのフロアキャビネット１２からＳ字型トラップを排除することができ、フロアキャビネット１２内の収納スペースを大きくすることができる。
【００３１】
次に、図８に基づいて第３実施例を説明する。なお、前述の実施例と同じ構成については、図に同じ符号を記し、その説明を省く。
本実施例においては、洗濯機Ａの給排水設備１７、２１を備えたキャビネットとして、洗濯機Ａと洗面化粧台Ｂ’との間に設置されるサイドキャビネットＤを利用している。
サイドキャビネットＤは、洗面化粧台Ｂ’のキャビネット６よりも高さを若干低くしたもので、内部構造は第１実施例の第２収納部１１とほぼ同様であり、洗濯機側の側板に形成された開口部（図示せず）から洗濯機Ａの給水ホース２、排水ホース３を中に引き込んで、給排水設備１７、２１と接続可能となっている。
【００３２】
本実施例においては、洗面化粧台Ｂ’とは別のサイドキャビネットＤに洗濯機Ａの給排水設備１７、２１を収納したので、洗面化粧台Ｂ’の左右どちらにも洗濯機Ａを設置可能であり、そのため、洗濯機Ａの設置場所を考慮して洗面化粧台Ｂ’に左右両仕様の品揃えをする必要がなくなり、トータルでのコストダウンが可能となる。
さらに、既に洗面化粧台Ｂ’が設置されている場合でも、サイドキャビネットＤのみを追加設置すればよく、洗面化粧台Ｂ’を交換せずに洗濯機Ａの給水ホース２、排水ホース３をキャビネット内に収めることができる。
【００３３】
なお、サイドキャビネットＤを背高に形成して、洗濯機エリアと洗面化粧台エリアを分ける間仕切りキャビネットとしてもいい。
【００３４】
次に、洗濯機Ａを組み込んだ形式のキャビネットの一例を示す第４実施例を図９に基づいて説明する。なお、前述の実施例と同じ構成については、図に同じ符号を記し、その説明を省く。
キャビネット２８は、左右の側板２８ａ，２８ｂと２枚の仕切板２８ｃがカウンター２８ｄ、背板、横桟（図示せず）により連結されて構成され、その左側側板２８ａと仕切板２８ｃの間を洗濯機収納空間Ｅとし、２枚の仕切板２８ｃの間を洗濯機Ａの給排水設備収納空間Ｃとしている。
さらに、カウンター２８ｄの右側には水槽５と水栓金具７ａを設けている。
【００３５】
洗濯機収納空間Ｅに収められたドラム式洗濯機Ａの給水ホース２及び排水ホース３は、仕切板２８ｃに形成された開口部を通って給排水設備収納空間Ｃに引き込まれて、第１実施例で説明したのと同様の給水設備２１、排水設備１７にそれぞれ接続されている。
【００３６】
本実施例においても、第１実施例と同様の効果を奏することができる。
【００３７】
なお、以上に説明した実施例において、洗濯機Ａはドラム式に限定されず、渦巻き式洗濯機であってもよいのは勿論である。
【００３８】
さらに、洗濯機Ａの給水ホース２、排水ホース３、電気コード１８を挿通可能な開口部１９を給排水設備収納空間Ｃの背板１２ｃに設けるようにしてもいい。
【００３９】
【発明の効果】
本発明により、優れたトータルコーディネイト性を発揮し、さらに使い勝手のいい洗濯機Ａの周辺システムを得ることができる。
【００４０】
また、給水ホースと給水設備の接続部を防水パンの上方に設置したので、接続部からの水漏れを防水パンで受けることができ、キャビネットに悪影響を与えない。
【００４１】
さらに、給排水設備収納空間の上部を物品の収納部とすれば、キャビネット内のスペースを有効に利用でき、その収納部を抜き差し可能な引き出しとした場合には、引き出しを抜けば給排水設備収納空間の上面に広い空きスペースができるので、接続作用がより一層行ないやすくなる。
【図面の簡単な説明】
【図１】本発明の第１実施例である洗濯機と洗面化粧台の組み合わせを示す正面図である。
【図２】図１の洗面化粧台からカウンターを外して、引き出しを抜いた状態を示す平面図である。
【図３】図１の洗面キャビネットの給排水設備収納部を切欠いて示す正面図である。
【図４】図１の洗面キャビネットの第２収納部を示す縦断面図である。
【図５】排水トラップを示す断面図である。
【図６】給水設備の要部を示す分解図である。
【図７】本発明の第２実施例の給排水設備収納空間の開き扉を開いた状態を示す一部切欠き正面図である。
【図８】本発明の第３実施例を示す正面図である。
【図９】本発明の第４実施例を示す正面斜視図である。
【図１０】従来技術を示す正面図である。
【符号の説明】
Ａ・・・洗濯機
Ｂ・・・洗面化粧台
Ｃ・・・給排水設備収納空間
Ｄ・・・キャビネット  （サイドキャビネット）
Ｅ・・・洗濯機収納空間
２・・・給水ホース
３・・・排水ホース
５・・・水槽
５ａ・・・排水管
１０・・・引き出し
１２・・・キャビネット  （フロアキャビネット）
１４・・・扉
１５・・・防水パン
１６・・・排水トラップ
１６５ａ・・・排水穴
１７・・・排水設備
１９・・・開口部
２１・・・給水設備
２２・・・ワンタッチ着脱機構（接続部）
２３・・・給水管
２４・・・止水栓
２６・・・給水配管用アダプタ
２８・・・キャビネット
【図１】
0003558186.tif 000002
【図２】
0003558186.tif 000003
【図３】
0003558186.tif 000004
【図４】
0003558186.tif 000005
【図５】
0003558186.tif 000006
【図６】
0003558186.tif 000007
【図７】
0003558186.tif 000008
【図８】
0003558186.tif 000009
【図９】
0003558186.tif 000010
【図１０】
0003558186.tif 000011